(57)【特許請求の範囲】
【請求項１】
アトピー皮膚炎の炎症部に接触させて使用する、編物からなるチューブ状包帯であって、前記編物はレーヨンまたは綿からなる親水性繊維とポリエステル系繊維またはナイロン繊維からなる疎水性繊維とで構成され、編物の肌側表面において親水性繊維が疎水性繊維よりも多く露出し、かつ編物の外気側表面において疎水性繊維が親水性繊維よりも多く露出しており、かつ下記の要件（１）〜（３）を全て満足することを特徴とするアトピー用チューブ状包帯。
（１）前記編物が表面層および裏面層を含む多層構造編物であり、表面層が疎水性繊維で構成され、一方裏面層が親水性繊維で構成される。
（２）チューブ状包帯の両端部において、ほつれ止め処理が施されている。
（３）アトピー用チューブ状包帯が腕用または足用である。
【請求項２】
前記編物が縫製箇所のない筒状編物である、請求項１に記載のアトピー用チューブ状包帯。
【請求項３】
前記ほつれ止め処理が編成によるほつれ止め処理である、請求項１または請求項２に記載のアトピー用チューブ状包帯。
【請求項４】
チューブ状包帯の長さが８〜１２０ｃｍの範囲内である、請求項１〜３のいずれかに記載のアトピー用チューブ状包帯。
【請求項５】
チューブ状包帯の外気側表面に、意匠柄またはポイント柄を有する、請求項１〜４のいずれかに記載のアトピー用チューブ状包帯。
【請求項６】
前記親水性繊維に水分を付与してなる、請求項１〜５のいずれかに記載のアトピー用チューブ状包帯。
【請求項７】
アトピー用チューブ状包帯が幼児の腕用である、請求項１〜６のいずれかに記載のアトピー用チューブ状包帯。
【発明の詳細な説明】
【技術分野】
【０００１】
本発明は、アトピー皮膚炎の炎症部に接触させて使用する、編物からなるチューブ状包帯に関する。
【背景技術】
【０００２】
アトピー皮膚炎は完治するのに長期間を要し、患者にとっては大きな苦痛となっている。特に就寝時等に皮膚の表面温度が高くなると、かゆみがひどくなるという問題があった。
かかる対策として、濡らして絞ったチューブ状包帯を着用し、さらにその上に乾いたもう１枚のチューブ状包帯を着用することにより、衣服や寝具等を濡らすことなく皮膚の表面温度を低減する方法が提案されている（例えば、特許文献１参照）。
【０００３】
しかしながら、かかる方法では２枚のチューブ状包帯を用いるため、包帯の着用に手間がかかるだけでなく、２枚のチューブ状包帯が相互にずれてしまい、濡れた内側の包袋が露出するという問題があった。
なお、アトピー用の二層構造編物は特許文献２に記載されている。また、親水性繊維と疎水性繊維とで構成される編物は特許文献３に記載されている。
【０００４】
【特許文献１】特開２００２−３１５７７４号公報
【特許文献２】特開２００３−２１３５４８号公報
【特許文献３】特開平４−４１７５０号公報
【発明の開示】
【発明が解決しようとする課題】
【０００５】
本発明は、上記の背景に鑑みなされたものであり、その目的は、アトピー皮膚炎の炎症部に接触させて使用する、編物からなるチューブ状包帯であって、１本のチューブ状包帯で皮膚の冷却と水分の外部への移行防止とが両立可能なチューブ状包帯を提供することにある。
【課題を解決するための手段】
【０００６】
本発明者は、上記目的を達成するため鋭意検討した結果、親水性繊維と疎水性繊維とを用いて、親水性繊維が肌側表面に、一方疎水性繊維が外気側表面に露出する編物を編成し、該編物でアトピー用チューブ状包帯を構成することにより、所望のアトピー用チューブ状包帯が得られることを見出し、さらに鋭意検討を重ねることにより本発明に想到した。
【０００７】
かくして、本発明によれば「アトピー皮膚炎の炎症部に接触させて使用する、編物からなるチューブ状包帯であって、前記編物はレーヨンまたは綿からなる親水性繊維とポリエステル系繊維またはナイロン繊維からなる疎水性繊維とで構成され、編物の肌側表面において親水性繊維が疎水性繊維よりも多く露出し、かつ編物の外気側表面において疎水性繊維が親水性繊維よりも多く露出しており、かつ下記の要件（１）〜（３）を全て満足することを特徴とするアトピー用チューブ状包帯。」が提供される。
（１）前記編物が表面層および裏面層を含む多層構造編物であり、表面層が疎水性繊維で構成され、一方裏面層が親水性繊維で構成される。
（２）チューブ状包帯の両端部において、ほつれ止め処理が施されている。
（３）アトピー用チューブ状包帯が腕用または足用である。
【０００８】
その際、前記編物が縫製箇所のない筒状編物であることが好ましい。
【０００９】
本発明のチューブ状包帯において、チューブ状包帯の長さが８〜１２０ｃｍの範囲内であることが好ましい。また、チューブ状包帯の外気側表面に、意匠柄またはポイント柄を有することが好ましい。また、前記親水性繊維に水分が付与されていることが好ましい。また、アトピー用チューブ状包帯が幼児の腕用であることが好ましい。
【発明の効果】
【００１０】
本発明によれば、アトピー皮膚炎の炎症部に接触させて使用する、編物からなるチューブ状包帯であって、１本のチューブ状包帯で皮膚の冷却と水分の外部への移行防止とが両立可能なチューブ状包帯が得られる。
【発明を実施するための最良の形態】
【００１１】
以下、本発明の実施の形態について詳細に説明する。
まず、本発明のチューブ状包帯は編物からなり、該編物は親水性繊維と疎水性繊維とで構成される。ここで、親水性繊維としては、アセテートなどの半合成繊維、レーヨン、キュプラなどの再生繊維、綿や麻などの天然繊維、架橋ポリアクリル酸ナトリウム系繊維（例えば、帝人ファイバー社製「ベルオアシス」（登録商標））、アクリル繊維の表面を加水分解したアクリレート系繊維、ＰＶＡ繊維などが例示される。なかでも、レーヨンまたは綿が特に好ましい。一方、疎水性繊維としては、ポリエチレンテレフタレート、ポリトリメチレンテレフタレート、ポリブチレンテレフタレート、第３成分を共重合させたポリエステルなどのポリエステル系繊維、ナイロン繊維、ポリ乳酸繊維、ステレオコンプレックスポリ乳酸繊維などが例示される。なかでもポリエステル系繊維またはナイロン繊維が特に好ましい。これら繊維の繊維形態は特に限定されず、長繊維（マルチフィラメント糸条）でもよいし、短繊維でもよい。製編性を高めるため、８０〜２００Ｔ／ｍの撚りが施されていてもよい。さらには、仮撚捲縮加工や空気加工が施されていてもよい。
【００１２】
前記親水性繊維および疎水性繊維において、単糸繊維繊度や総繊度は特に限定されないが、チューブ状包帯を着用した際の着用感を損わない上で、単糸繊維繊度０．２〜３．０ｄｔｅｘ、総繊度３３〜１６７ｄｔｅｘ、紡績糸であれば３０／−〜６０／−の範囲内であることが好ましい。また、単糸の横断面形状も特に限定されるものではなく、通常の丸型だけでなく、扁平、三角、Ｙ型、Ｔ型、Ｕ型などの異型であってもよい。また、前記親水性繊維および疎水性繊維の繊維中には、微細孔形成剤、カチオン可染剤、着色防止剤、熱安定剤、蛍光増白剤、艶消し剤、着色剤、帯電防止剤、無機微粒子等が１種又は２種以上含まれていてもよい。
【００１３】
本発明のチューブ状包帯を構成する編物において、編物の肌側表面では親水性繊維が疎水性繊維よりも多く露出し、かつ編物の外気側表面では疎水性繊維が親水性繊維よりも多く露出していることが肝要である。かかる構成を採用することで、チューブ状包帯を水に浸漬することにより湿潤させ、軽く絞ることによりチューブ状包帯の肌側表面（内側表面）のみを湿潤させることが可能になる。
【００１４】
ここで、編物の肌側表面において、親水性繊維の露出総面積をＳＡ（ｍｍ２）、疎水性繊維の露出総面積をＳＢ（ｍｍ２）とするとき、ＳＡ／（ＳＡ＋ＳＢ）の値が０．６以上（特に好ましくは０．７〜１．０）であることが好ましい。同様に、編物の外気側表面において、親水性繊維の露出総面積をＳＡ（ｍｍ２）、疎水性繊維の露出総面積をＳＢ（ｍｍ２）とするとき、ＳＢ／（ＳＡ＋ＳＢ）の値が０．６以上（特に好ましくは０．７〜１．０）であることが好ましい。
【００１５】
本発明のチューブ状包帯は、親水性繊維と疎水性繊維とを用いて編物の肌側表面において親水性繊維が疎水性繊維よりも多く露出し、かつ編物の外気側表面において疎水性繊維が親水性繊維よりも多く露出している編物を常法により編成した後筒状に縫製するか、筒状の編物を編成することにより得られる。
【００１６】
その際、編物の編物組織としては経編でも緯編（丸編）でもよい。また、単層編物でもよいし、多層構造編物でもよい。単層編物としては、単層編物であるにもかかわらず表裏の糸の露出量を変えることが可能なプレーテイング編が好ましい。また、多層構造編物であり、表面層（外気側に位置する層）が疎水性繊維で構成され、一方裏面層（肌側に位置する層）が親水性繊維で構成されることが好ましく、ダブルトリコット編、ダブルコード編、ハーフトリコット編、両面編、リブ編、スムース編、  表面層と裏面層とを結接糸条で結接させた三層構造編物（両面結節編）などが例示される。特に、編物が縫製箇所のない筒状編物であることが好ましい。平面状の編物を筒状に縫製してチューブ状包帯にしてもよいが、チューブ状包帯の長軸方向に縫目が形成されるため、チューブ状包帯の着用快適性が損われるおそれがある。
【００１７】
また、本発明のチューブ状包帯において、両端（すなわち、両開口部）はほつれ止め処理が施されていることが好ましい。チューブ状包帯を着用したり洗濯する際、両端がほつれると、外観が損われるだけでなく、ほつれた糸が乳幼児の指に絡みついて血行が悪くなるおそれがある。なお、かかるほつれ止め処理は、両端を内側に折り曲げて縫製してもよいし、筒状編物を編成する際、編成によりほつれ止め処理をしてもよい。例えば、編成によるほつれ止めの例としては、図１に示すような、メークアップと呼ばれる方法がある。これは先ず図中の記号Ｉで示される部分を全部の編み針を用いて製編する、全針編で４〜５コースを編成後、続けて記号IIで示される部分を半分の針を用いて製編する、半針（ハーフ）編にて４０〜５０コースを製編する。その後、再度全針編に切り替えた後、図中のＢの編み目をＡの編み目に結合させることにより、筒状編地の端部に二重の袋編を作ることによってほつれ止めをする処理である。
【００１８】
本発明のチューブ状包帯においてその長さは限定されないが、８〜１２０ｃｍの範囲内であることが好ましい。また、その内径も特に限定されず、チューブ状包帯が使用される部位、例えば、腕、足、胴体、顔などに応じて適宜選定される。また、幼児用か大人用かにより適宜選定される。
【００１９】
かくして得られたチューブ状包帯において、肌側表面では親水性繊維が疎水性繊維よりも多く露出し、かつ外気側表面では疎水性繊維が親水性繊維よりも多く露出しているので、チューブ状包帯を水に浸漬させた後、軽く絞ると、親水性繊維のみに水分を付与することができ、チューブ状包帯の肌側表面（内側表面）のみを湿潤させることが可能になる。その結果、該チューブ状包帯をアトピー皮膚炎の炎症部に接触させて使用すると、１本のチューブ状包帯で皮膚の冷却と水分の外部への移行防止とが両立可能となる。
【００２０】
なお、本発明のチューブ状包帯において、本発明の目的が損なわれない範囲であれば、常法のアルカリ減量加工、染色加工、起毛加工、紫外線遮蔽あるいは制電剤、抗菌剤、消臭剤、防虫剤、蓄光剤、再帰反射剤、マイナスイオン発生剤等の機能を付与する各種加工を付加適用してもよい。特に、外気側表面に意匠柄またはポイント柄を付与することは好ましいことである。
【実施例】
【００２１】
次に本発明の実施例及び比較例を詳述するが、本発明はこれらによって限定されるものではない。なお、実施例中の各測定項目は下記の方法で測定した。
【００２２】
（１）繊維の露出度
編物から編物と経緯が同じ方向に１ｃｍ×１ｃｍの試料を切り取り、その外気側表面および肌側表面を写真撮影（１０倍に拡大）し、編物の肌側表面において、親水性繊維の露出総面積をＳＡ（ｍｍ２）、疎水性繊維の露出総面積をＳＢ（ｍｍ２）とするとき、ＳＡ／（ＳＡ＋ＳＢ）の値を、また、編物の外気側表面において、親水性繊維の露出総面積をＳＡ（ｍｍ２）、疎水性繊維の露出総面積をＳＢ（ｍｍ２）とするとき、ＳＢ／（ＳＡ＋ＳＢ）の値を、それぞれ算出した。なお、ｎ数は５で平均値を算出した。
【００２３】
（２）水分の偏在性
チューブ状包帯を水に浸漬することにより湿潤させ、軽く絞った後、チューブ状包帯の肌側表面と外気側表面とを試験者３人が手で触り、水分が肌側表面に偏在しているかどうか官能評価し、３級：非常に偏在しており特に良好、２級：偏在しており良好、１級：偏在しておらず不良、の３段階に評価した。
【００２４】
［実施例１］
親水性繊維としてレーヨン紡績糸４０／−を用い、一方疎水性繊維としてナイロン糸条（総繊度４４ｄｔｅｘ／１７ｆｉｌ）を２本合撚糸（撚数１５０Ｔ／ｍ）したナイロン合撚糸を用いて、靴下編機ＫＳＣ−Ｅ（永田精機株式会社製）を使用して、レーヨン紡績糸４０／−が肌側表面に露出し、ナイロン合撚糸が外気側表面に露出するよう両面編地組織の筒状編物（長さ３５ｃｍ、直径４．５ｃｍ、幼児の腕用）を編成することにより、チューブ状包帯を得た。その際、両端を編成によりほつれ止め処理した。
かくして得られたチューブ状包帯において、編物の肌側表面において、ＳＡ／（ＳＡ＋ＳＢ）が１．０であり、編物の外気側表面において、ＳＢ／（ＳＡ＋ＳＢ）が１．０であった。また、水分が肌側表面に非常に偏在しており特に良好（３級）であった。
【００２５】
［実施例２］
親水性繊維として綿３０／−を用い、一方疎水性繊維としてナイロン糸条（総繊度４４ｄｔｅｘ／１７ｆｉｌ）を２本合撚糸（撚数１２０Ｔ／ｍ）したナイロン合撚糸を用いて、通常のダブル丸編機を使用し、両面編地組織の丸編物を編成した後、チューブ状に縫製することによりチューブ状包帯（長さ３５ｃｍ、直径５．０ｃｍ、幼児の腕用）を得た。その際、両端を内側に折り込み縫製によりほつれ止め処理した。
かくして得られたチューブ状包帯において、編物の肌側表面において、ＳＡ／（ＳＡ＋ＳＢ）が０．９以上であり、編物の外気側表面において、ＳＢ／（ＳＡ＋ＳＢ）が０．９以上であった。また、水分が肌側表面に非常に偏在しており特に良好（３級）であった。
【００２６】
［実施例３］
親水性繊維としてレーヨン紡績糸４０／−を用い、一方疎水性繊維としてポリエステル糸条（総繊度８４ｄｔｅｘ／３６ｆｉｌ）を用いて、通常のシングル丸編機を使用してプレーテイング編組織の丸編物を編成した後、チューブ状に縫製することによりチューブ状包帯（長さ３５ｃｍ、直径４．５ｃｍ、幼児の腕用）を得た。その際、両端を内側に折り込み縫製によりほつれ止め処理した。
かくして得られたチューブ状包帯において、編物の肌側表面において、ＳＡ／（ＳＡ＋ＳＢ）が０．８以上であり、編物の外気側表面において、ＳＢ／（ＳＡ＋ＳＢ）が０．８以上であった。また、水分が肌側表面に偏在しており良好（２級）であった。
【００２７】
［比較例１］
レーヨン紡績糸４０／−のみを用いて、通常のシングル丸編機を使用して天竺編組織の丸編物を編成した後、チューブ状に縫製することによりチューブ状包帯（長さ３５ｃｍ、直径４．５ｃｍ、幼児の腕用）を得た。その際、両端を内側に折り込み縫製によりほつれ止め処理した。
かくして得られたチューブ状包帯において、編物の肌側表面において、ＳＡ／（ＳＡ＋ＳＢ）が１．０であり、編物の外気側表面において、ＳＢ／（ＳＡ＋ＳＢ）が０であった。また、水分が偏在しておらず不良（１級）であった。
【００２８】
［比較例２］
比較例１において、レーヨン紡績糸４０／−のかわりに綿３０／−を用いること以外は比較例１と同様にした。得られたチューブ状包帯において、編物の肌側表面において、ＳＡ／（ＳＡ＋ＳＢ）が１．０であり、編物の外気側表面において、ＳＢ／（ＳＡ＋ＳＢ）が０であった。また、水分が偏在しておらず不良（１級）であった。
【産業上の利用可能性】
【００２９】
本発明によれば、アトピー皮膚炎の炎症部に接触させて使用する、編物からなるチューブ状包帯であって、１本のチューブ状包帯で皮膚の冷却と水分の外部への移行防止とが両立可能なチューブ状包帯が提供され、その工業的価値は極めて大である。
【図面の簡単な説明】
【００３０】
【図１】編成による「ほつれ止め」を示す編み立て図である。
【符号の説明】
【００３１】
Ｉ  全針編による製編部
II  半針（ハーフ）編による製編部
Ａ  半針（ハーフ）編に切り替える前の最終の全針編の編み目
Ｂ  半針（ハーフ）編から、全針編に切り替えた後の編み目
【図１】
0005173359.tif 000002